(57)【要約】【課題】第１コネクタと第２コネクタとの嵌合抵抗の増大を抑制しつつ、第１端子と第２端子との接触信頼性の向上を図ったコネクタ装置を提供すること。【解決手段】コネクタ嵌合室１３に設けられる第１端子１２を有する第１コネクタ１０と、コネクタ嵌合室１３に嵌合されるコネクタ嵌合部２４に収容され、コネクタ嵌合部２４をコネクタ嵌合室１３に嵌合させた際に、第１端子１２が挿入される端子受部２６を含む第２端子２２を有する第２コネクタ２０と、を備え、端子受部２６は、コネクタ嵌合部２４に隙間４０を設けて収容され、コネクタ嵌合部２４には、端子受部２６を挟んで位置する上面および下面にスリット２９が設けられ、第１ハウジング１１は、コネクタ嵌合室１３の上面および下面に設けられ、コネクタ嵌合部２４とコネクタ嵌合室１３とが嵌合した際に、スリット２９を通じて、端子受部２６を上下から挟持するリブ１４を備えた。【選択図】図１
2019003790.tif 000002
【特許請求の範囲】
【請求項１】
一方が開口した凹部を有する第１ハウジングと、前記第１ハウジングに設けられ、前記凹部の底部から開口に向けて突出する第１端子と、を有する第１コネクタと、
前記凹部に嵌合される凸部を有する第２ハウジングと、前記第２ハウジングの前記凸部に収容され、かつ、前記凸部を前記凹部に嵌合させた際に、前記第１端子が挿入されて電気的に接続される端子受部を含む第２端子と、を有する第２コネクタと、を備え、
前記端子受部は、前記凸部内に所定の隙間を設けて収容され、
前記第２ハウジングの前記凸部には、前記端子受部を挟んで位置する面にそれぞれ該端子受部が露出するまで切り欠かれたスリットが設けられ、
前記第１ハウジングは、前記凹部の対向する内面からそれぞれ対向面に向けて延在し、前記凸部と前記凹部とが嵌合した際に、前記スリットを通じて、前記端子受部を挟持するリブを備えたことを特徴とするコネクタ装置。
【請求項２】
前記所定の隙間は、前記第１ハウジングに設けられた前記第１端子の位置公差を吸収する大きさの隙間に設定されることを特徴とする請求項１に記載のコネクタ装置。
【請求項３】
前記第２端子の前記端子受部は、前記第１端子と接触するインデント部と、前記インデント部に前記第１端子を押圧する方向に付勢するばね部とを備え、
前記リブは、前記第１端子と前記インデント部との接触後に、前記端子受部との係合を開始すると共に、前記凸部と前記凹部とが嵌合した際に、少なくとも前記第１端子と前記インデント部との接触部分を覆って前記端子受部を挟持することを特徴とする請求項１または２に記載のコネクタ装置。
【請求項４】
前記第１端子は、平板状のタブ端子であり、該タブ端子の幅方向に亘って、複数の前記リブ及び前記スリットが並列して設けられていることを特徴とする請求項１から３のいずれか一項に記載のコネクタ装置。
【発明の詳細な説明】
【技術分野】
【０００１】
本発明は、第１コネクタと第２コネクタとが嵌合接続されるコネクタ装置に関する。
【背景技術】
【０００２】
従来、一方が開口した凹部を有する第１ハウジングと第１ハウジングの凹部に設けられた第１端子（オス端子）とを有する第１コネクタ、及び、凹部に嵌合される凸部を有する第２ハウジングと第２ハウジングの凸部に収容される第２端子（メス端子）とを有する第２コネクタを備えたコネクタ装置が知られている（例えば、特許文献１参照）。この種のコネクタ装置は、例えば、ハイブリッド車、電気自動車などの車両に搭載されて、第２ハウジングの凸部を第１ハウジングの凹部に嵌合させた際に、第１端子が第２端子に挿入されて電気的に接続される。
【先行技術文献】
【特許文献】
【０００３】
【特許文献１】特開２０１４−７５２１７号公報
【発明の概要】
【発明が解決しようとする課題】
【０００４】
ところで、上記したコネクタ装置では、振動環境下においても、第１端子と第２端子との接触信頼性の確保が要求される。このため、第２ハウジングの凸部と、この凸部に収容される第２端子とのクリアランス（隙間）を最小限に形成し、第２ハウジング内における第２端子の移動を抑制することで、第１端子と第２端子とが接触する部位が振動による影響を受けないようにする構成が想定される。
【０００５】
しかし、第２ハウジングと第２端子とのクリアランスを最小限に形成した場合には、第１ハウジングと第２ハウジングとを嵌合した際に、第１ハウジングの凹部に対する第１端子の位置ズレ（位置公差）を、上記クリアランスで吸収することができない。このため、第１端子と第２端子との接触が片寄りし、第１コネクタと第２コネクタとの嵌合抵抗が増大するという問題が生じる。
【０００６】
本発明は、上記に鑑みてなされたものであって、第１コネクタと第２コネクタとの嵌合抵抗の増大を抑制しつつ、第１端子と第２端子との接触信頼性の向上を図ったコネクタ装置を提供することを目的とする。
【課題を解決するための手段】
【０００７】
上述した課題を解決し、目的を達成するために、本発明に係るコネクタ装置は、一方が開口した凹部を有する第１ハウジングと第１ハウジングに設けられ、凹部の底部から開口に向けて突出する第１端子とを有する第１コネクタと、凹部に嵌合される凸部を有する第２ハウジングと第２ハウジングの凸部に収容され、かつ、凸部を凹部に嵌合させた際に、第１端子が挿入されて電気的に接続される端子受部を含む第２端子とを有する第２コネクタと、を備え、端子受部は、凸部内に所定の隙間を設けて収容され、第２ハウジングの凸部には、端子受部を挟んで位置する面にそれぞれ該端子受部が露出するまで切り欠かれたスリットが設けられ、凸部と凹部とが嵌合した際に、第１ハウジングは、凹部の対向する内面からそれぞれ対向面に向けて延在し、スリットを通じて、端子受部を挟持するリブを備えたことを特徴とする。
【０００８】
この構成によれば、第１ハウジングの凹部と第２ハウジングの凸部とが嵌合した際に、第２ハウジングの凸部に収容される第２端子の端子受部は、スリットを通じて、第１ハウジングの凹部に設けられたリブによって挟持されるため、第１端子に対する端子受部の移動が規制され、第１端子と第２端子との接触信頼性の向上を図ることができる。また、第２端子の端子受部は、凸部内に所定の隙間を設けて収容されるため、リブが端子受部を挟持する前に、端子受部が凸部内を移動することにより、第２端子と第１端子との接続を容易に行うことができ、第１コネクタと第２コネクタとの嵌合抵抗の増大を抑制することができる。
【０００９】
この構成において、所定の隙間は、第１ハウジングに設けられた第１端子の位置公差を吸収する大きさの隙間に設定されることが好ましい。この構成によれば、第１端子の位置公差が隙間によって吸収されるため、第２端子と第１端子との接続を容易に行うことができ、第１コネクタと第２コネクタとの嵌合抵抗の増大を抑制することができる。
【００１０】
また、第２端子の端子受部は、第１端子と接触するインデント部と、インデント部に第１端子を押圧する方向に付勢するばね部とを備え、リブは、第１端子とインデント部との接触後に、端子受部との係合を開始すると共に、凸部と凹部とが嵌合した際に、少なくとも第１端子とインデント部との接触部分を覆って端子受部を挟持する構成としてもよい。この構成によれば、リブは、第１端子とインデント部との接触後に、端子受部との係合を開始するため、第２端子のインデント部と第１端子との接続を容易に行うことができる。また、リブは、凸部と凹部との嵌合が完了した際に、少なくとも第１端子とインデント部との接触部分を覆って端子受部を挟持するため、振動に伴う第２端子の動きやブレをリブが抑えることにより、第１端子と第２端子との接触信頼性を確保することができる。
【００１１】
また、第１端子は、平板状のタブ端子であり、該タブ端子の幅方向に亘って、複数のリブ及びスリットが並列して設けられていてもよい。この構成によれば、平板状のタブ端子と第２端子とを並列に設けられた複数のリブで挟持するため、タブ端子と第２端子とを均等に接触させることができる。
【発明の効果】
【００１２】
本発明によれば、第１ハウジングの凹部と第２ハウジングの凸部とが嵌合した際に、第２ハウジングの凸部に収容される第２端子の端子受部は、スリットを通じて、第１ハウジングの凹部に設けられたリブによって挟持されるため、第１端子に対する端子受部の移動が規制され、第１端子と第２端子との接触信頼性の向上を図ることができる。また、第２端子の端子受部は、凸部内に所定の隙間を設けて収容されるため、リブが端子受部を挟持する前に、端子受部が凸部内を移動することにより、第２端子と第１端子との接続を容易に行うことができ、第１コネクタと第２コネクタとの嵌合抵抗の増大を抑制することができる。
【図面の簡単な説明】
【００１３】
【図１】図１は、本実施形態に係るコネクタ装置が備える第１コネクタと第２コネクタとの嵌合接続が解除された状態を示す断面図である。
【図２】図２は、第１コネクタを示す斜視図である。
【図３】図３は、第２コネクタを示す斜視図である。
【図４】図４は、第１コネクタの第１端子と第２コネクタの第２端子とが接続される前の状態を示す部分拡大断面図である。
【図５】図５は、第１端子が第２端子に挿入された状態を示す部分拡大断面図である。
【図６】図６は、第１端子と第２端子との接続が完了した状態を示す部分拡大断面図である。
【発明を実施するための形態】
【００１４】
以下に、本発明に係る実施形態を図面に基づいて詳細に説明する。なお、この実施形態によりこの発明が限定されるものではない。また、実施形態における構成要素には、当業者が置換可能かつ容易なもの、あるいは実質的に同一のものが含まれる。また、本実施形態では、図中の上下方向を「上」、「下」と表記する。
【００１５】
図１は、本実施形態に係るコネクタ装置が備える第１コネクタと第２コネクタとの嵌合接続が解除された状態を示す断面図である。図２は、第１コネクタを示す斜視図であり、図３は、第２コネクタを示す斜視図である。本実施形態に係るコネクタ装置は、例えば、電気自動車やハイブリッド車などの車両に搭載され、モータとインバータとの間、又はインバータとバッテリーとの間のように、機器間で大容量の電力を伝達する高圧電力ケーブルの連結に用いられる。
【００１６】
コネクタ装置１は、図１に示すように、第１コネクタ１０と、この第１コネクタ１０に嵌合する第２コネクタ２０とを備える。第１コネクタ１０は、図１及び図２に示すように、第１ハウジング１１と、この第１ハウジング１１に設けられる第１端子（オス端子ともいう）１２とを備える。第１ハウジング１１は、絶縁性を有する樹脂材料により、横長の矩形状に形成され、第１ハウジング１１内には、一方に開口１３Ａを有するコネクタ嵌合室（凹部）１３が形成されている。第１端子１２は、コネクタ嵌合室（凹部）１３の奥壁（底部）１３Ｂから開口１３Ａに向けて突出して設けられている。第１端子１２は、導電性の金属材を平板状に形成した、いわゆるタブ端子であり、本実施形態では、３つの第１端子１２がコネクタ嵌合室１３の幅方向に横並びに配置されている。第１端子１２には、それぞれ不図示のケーブルが連結されている。
【００１７】
第１ハウジング１１には、第１端子１２を挟んだコネクタ嵌合室１３の上面及び下面（対向する内面）からそれぞれ対向する面に向けて上下方向に延在する複数のリブ１４が一体に設けられている。このリブ１４は、１つの第１端子１２に対してそれぞれ複数設けられ、第１端子１２の幅方向にそれぞれ複数のリブ１４が並列して設けられている。本実施形態では、１つの第１端子１２に対して、コネクタ嵌合室１３の上面から３つのリブ１４が第１端子１２に向けて下方に延び、下面から２つのリブ１４が第１端子１２に向けて上方に延びている。第１端子１２の先端は、これらのリブ１４よりも開口１３Ａ側に位置し、該リブ１４よりも先に第２コネクタ２０に接触する。リブ１４の数や位置に関しては、本実施形態の例に限るものではなく、第１端子１２の大きさによって適宜変更することができる。
【００１８】
第２コネクタ２０は、図１及び図３に示すように、第２ハウジング２１と、この第２ハウジング２１に設けられる第２端子（メス端子ともいう）２２とを備える。第２ハウジング２１は、絶縁性を有する樹脂材料により形成されており、横長の楕円柱形状の本体部２３と、この本体部２３から突出して、第１コネクタ１０のコネクタ嵌合室１３に嵌合する３つのコネクタ嵌合部（凸部）２４とを備える。コネクタ嵌合部２４は、それぞれコネクタ嵌合室１３に嵌合する形状及び大きさに形成されている。コネクタ嵌合部２４及び本体部２３には、端子収容室２５が形成されており、この端子収容室２５に第２端子２２が収容される。
【００１９】
第２端子２２は、導電性の金属板材を所定形状に打ち抜き加工した後、叩き加工や曲げ加工などを施すことで所望の形状に成形される端子金具である。第２端子２２は、第１端子１２が挿入可能に構成される端子受部２６と、不図示のケーブルが加締められる連結部３０とを備える。
【００２０】
端子受部２６は、第１端子１２の挿入方向に開口２６Ａを有する角筒状に形成され、この開口２６Ａは、第１端子１２が挿入可能なように、該第１端子１２の形状に合わせて幅広の矩形形状に形成される。また、端子受部２６は、開口２６Ａを通じて挿入された第１端子１２と接触するインデント部２７と、第１端子１２をインデント部２７に向けて押圧付勢するばね部２８とを備える。ばね部２８は、金属板を折り曲げて形成され、第１端子１２の挿入方向に沿って複数形成されている。これにより、複数のばね部２８が第１端子１２をインデント部２７に向けて押圧付勢することにより、第１端子１２をインデント部２７（第２端子２２）に均一に接触させることができる。
【００２１】
第２端子２２は、上述のように、第２ハウジング２１に形成された端子収容室２５に収容される。本実施形態では、第２端子２２の端子受部２６は、端子収容室２５の内面（特に上面及び下面）との間に所定の大きさの隙間４０を設けて配置されており、この端子受部２６は、隙間４０の大きさの範囲内で上下方向に移動が可能となっている。隙間４０の大きさは、第１ハウジング１１のコネクタ嵌合室１３に設けられた第１端子１２の位置公差（位置ズレ）と同等もしくは位置公差よりも大きく設定されており、端子受部２６が端子収容室２５内を移動することにより、第１端子１２の位置公差を吸収することができる。また、第２ハウジング２１は、コネクタ嵌合部２４の先端に形成される挿入開口２４Ａを備え、この挿入開口２４Ａは、端子収容室２５に収容される端子受部２６の開口２６Ａに連通している。
【００２２】
また、第２ハウジング２１のコネクタ嵌合部２４には、端子受部２６を挟んで位置する上面２４Ｂ及び下面２４Ｃにそれぞれスリット２９が設けられている。このスリット２９は、第１ハウジング１１のリブ１４に対応する位置に形成されており、コネクタ嵌合部２４の上面２４Ｂには、端子受部２６に向けて３本のスリット２９が設けられ、コネクタ嵌合部２４の下面２４Ｃには、端子受部２６に向けて２本のスリット２９が設けられている。これらのスリット２９は、いずれも端子受部２６が露出するまで切り欠かれて形成され、スリット２９に進入したリブ１４は、端子受部２６を上下に挟持するようになっている。
【００２３】
次に、第１コネクタ１０と第２コネクタ２０の嵌合動作を説明する。図４は、第１コネクタの第１端子と第２コネクタの第２端子とが接続される前の状態を示す部分拡大断面図である。図５は、第１端子が第２端子に挿入された状態を示す部分拡大断面図である。図６は、第１端子と第２端子との接続が完了した状態を示す部分拡大断面図である。
【００２４】
まず、図４に示すように、挿入方向（図中Ｘ方向）に沿って、第１コネクタ１０のコネクタ嵌合室１３に、第２コネクタ２０のコネクタ嵌合部２４を挿入する。コネクタ嵌合部２４は、コネクタ嵌合室１３に嵌合する形状及び大きさに形成されている。このため、コネクタ嵌合部２４の上面２４Ｂ及び下面２４Ｃは、それぞれコネクタ嵌合室１３の内面に案内されて該コネクタ嵌合室１３に挿入される。また、第１端子１２の先端１２Ａは、リブ１４よりもコネクタ嵌合室１３の開口１３Ａ側に位置する。このため、コネクタ嵌合部２４がコネクタ嵌合室１３に挿入されることに伴い、第１端子１２の先端１２Ａは、挿入開口２４Ａ及び開口２６Ａを通じて、コネクタ嵌合部２４の端子収容室２５に収容される端子受部２６に挿入される。
【００２５】
本実施形態では、端子受部２６は、端子収容室２５の上面及び下面との間にそれぞれ所定の隙間４０を設けて配置され、端子受部２６は、隙間４０の大きさの範囲内で上下方向に移動が可能となっている。また、隙間４０の大きさは、第１ハウジング１１のコネクタ嵌合室１３に設けられた第１端子１２の位置公差と同等もしくは位置交差よりも大きく設定されている。このため、第１端子１２が端子受部２６に挿入されると、端子受部２６は端子収容室２５内を上下（図中Ｙ方向）に移動することにより、第１端子１２の位置公差を吸収することができる。従って、端子受部２６（第２端子２２）に対する第１端子１２の接触の片寄りを抑制できるため、第１コネクタ１０と第２コネクタ２０との嵌合抵抗の増大を抑制できる。
【００２６】
続いて、図５に示すように、第２コネクタ２０のコネクタ嵌合部２４を、更に、第１コネクタ１０のコネクタ嵌合室１３に挿入すると、第１端子１２は端子受部２６のインデント部２７及びばね部２８と接触し、ばね部２８の付勢力により、第１端子１２はインデント部２７に押し付けられ、第１端子１２とインデント部２７（第２端子２２）との接触が開始される。ここで、上下のリブ１４は、第１端子１２とインデント部２７とが接触した後に、スリット２９を通じて端子受部２６と係合するように形成されている。これにより、リブ１４が第１端子１２とインデント部２７との接触を阻害しないため、第１端子１２とインデント部２７との接続を容易に行うことができる。
【００２７】
また、図６に示すように、上下のリブ１４は、端子受部２６と係合することにより、端子受部２６を挟持する。この場合、上下リブ１４間の上下方向における隙間は、端子収容室２５の上下方向における長さよりも短く設定されると共に、上下のリブ１４と端子受部２６と上下方向における各隙間４１は、端子収容室２５と端子受部２６との上下方向における隙間４０よりも小さく設定されている。このため、端子受部２６（第２端子２２）の端子収容室２５内での移動が上下のリブ１４によって規制される。
【００２８】
また、本実施形態では、上下のリブ１４は、第１端子１２とインデント部２７との接触部分４２を覆う程度の長さＬ（嵌合方向への長さ）を有する。このため、第２コネクタ２０のコネクタ嵌合部２４と第１コネクタ１０のコネクタ嵌合室１３との嵌合が完了した際に、上下のリブ１４は、第１端子１２とインデント部２７との接触部分４２を覆って、端子受部２６を挟持することができる。従って、車両の振動に伴う端子受部２６（第２端子２２）の動き又はブレを抑えることができるため、第１端子１２と第２端子２２との接触信頼性を保持することができる。
【００２９】
以上、説明したように、本実施形態に係るコネクタ装置１は、一方が開口したコネクタ嵌合室１３を有する第１ハウジング１１と、第１ハウジング１１に設けられ、コネクタ嵌合室１３の奥壁１３Ｂから開口１３Ａに向けて突出する第１端子１２と、を有する第１コネクタ１０と、コネクタ嵌合室１３に嵌合されるコネクタ嵌合部２４を有する第２ハウジング２１と、第２ハウジング２１のコネクタ嵌合部２４に収容され、かつ、コネクタ嵌合部２４をコネクタ嵌合室１３に嵌合させた際に、第１端子１２が挿入されて電気的に接続される端子受部２６を含む第２端子２２と、を有する第２コネクタ２０と、を備え、端子受部２６は、コネクタ嵌合部２４の端子収容室２５内に所定の隙間４０を設けて収容され、第２ハウジング２１のコネクタ嵌合部２４には、端子受部２６を挟んで位置する上面２４Ｂおよび下面２４Ｃにそれぞれ該端子受部２６が露出するまで切り欠かれたスリット２９が設けられ、第１ハウジング１１は、コネクタ嵌合室１３の上面および下面からそれぞれ対向面に向けて延在し、コネクタ嵌合部２４とコネクタ嵌合室１３とが嵌合した際に、スリット２９を通じて、端子受部２６を上下から挟持するリブ１４を備えた。
【００３０】
この構成によれば、第１ハウジング１１のコネクタ嵌合室１３と第２ハウジング２１のコネクタ嵌合部２４とが嵌合した際に、コネクタ嵌合部２４に端子収容室２５内に収容される第２端子２２の端子受部２６は、スリット２９を通じて、第１ハウジング１１のコネクタ嵌合室１３に設けられた上下のリブ１４によって挟持されるため、第１端子１２に対する端子受部２６の移動が規制され、第１端子１２と第２端子２２との接触信頼性の向上を図ることができる。また、第２端子２２の端子受部２６は、コネクタ嵌合部２４の端子収容室２５内に所定の隙間４０を設けて収容されるため、上下のリブ１４が端子受部２６を挟持する前に、この端子受部２６が端子収容室２５内を移動することにより、第２端子２２と第１端子１２との接続を容易に行うことができ、第１コネクタ１０と第２コネクタ２０との嵌合抵抗の増大を抑制することができる。
【００３１】
また、本実施形態によれば、所定の隙間４０は、第１ハウジング１１のコネクタ嵌合室１３に設けられた第１端子１２の位置公差を吸収する大きさに設定されているため、第２端子２２と第１端子１２との接続を容易に行うことができ、第１コネクタ１０と第２コネクタ２０との嵌合抵抗の増大を抑制することができる。
【００３２】
また、本実施形態によれば、第２端子２２の端子受部２６は、第１端子１２と接触するインデント部２７と、インデント部２７に第１端子１２を押圧する方向に付勢するばね部２８とを備え、リブ１４は、第１端子１２とインデント部２７との接触後に、端子受部２６との係合を開始するため、第１端子１２とインデント部２７との接触をリブ１４が阻害することを防止できる。このため、第１端子１２とインデント部２７との接続を容易に行うことができる。さらに、リブ１４は、コネクタ嵌合部２４とコネクタ嵌合室１３とが嵌合した際に、少なくとも第１端子１２とインデント部２７との接触部分４２を覆って端子受部２６を挟持するため、例えば、車両の振動に伴う端子受部２６（第２端子２２）の動き又はブレを抑えることができることにより、第１端子１２と第２端子２２との接触信頼性を保持することができる。
【００３３】
また、本実施形態によれば、第１端子１２は、平板状のタブ端子であり、該タブ端子の幅方向に亘って、複数のリブ１４及びスリット２９が並列して設けられているため、平板状のタブ端子と端子受部２６とを並列に設けられた複数のリブ１４で挟持するため、タブ端子と端子受部２６のインデント部２７とを均等に接触させることができる。
【００３４】
以上、本発明の一実施形態を説明したが、本実施形態は、例として提示したものであり、発明の範囲を限定することは意図していない。本実施形態は、その他の様々な形態で実施されることが可能であり、発明の要旨を逸脱しない範囲で、種々の省略、置き換え、変更を行うことができる。本実施形態やその変形は、発明の範囲や要旨に含まれると同様に、特許請求の範囲に記載された発明とその均等の範囲に含まれるものである。例えば、上記した実施形態では、第１コネクタ１０および第２コネクタ２０は、３相のＡＣモータなどに接続される高圧電力ケーブルの連結に用いられるため、それぞれ３つの第１端子１２及び３つの第２端子２２を備える構成について説明したが、用途に応じて、端子の数を適宜変更してもよいことは勿論である。
【００３５】
また、本実施形態では、リブ１４およびスリット２９は、それぞれ第１ハウジング１１および第２ハウジング２１の上面と下面とに設けた構成について説明したが、第２端子２２の端子受部２６を挟持する構成であれば、上下方向に直交する水平方向に設けてもよい。また、リブ１４とスリット２９を上下だけでなく水平方向に合わせて設けてもよい。
【００３６】
また、本実施形態では、コネクタ装置１は、モータとインバータとの間、又はインバータとバッテリーとの間のように、機器間で大容量の電力を伝達する高圧電力ケーブルの連結に用いられる構成としたが、他の用途に用いられるコネクタ装置についても適用することができることは勿論である。
【符号の説明】
【００３７】
１  コネクタ装置
１０  第１コネクタ
１１  第１ハウジング
１２  第１端子
１２Ａ  先端
１３  コネクタ嵌合室（凹部）
１３Ａ  開口
１３Ｂ  奥壁（底部）
１４  リブ
２０  第２コネクタ
２１  第２ハウジング
２２  第２端子
２３  本体部
２４  コネクタ嵌合部（凸部）
２４Ａ  挿入開口
２５  端子収容室
２６  端子受部
２６Ａ  開口
２７  インデント部
２８  ばね部
２９  スリット
３０  連結部
４０  隙間
４２  接触部分
【図１】
2019003790.tif 000003
【図２】
2019003790.tif 000004
【図３】
2019003790.tif 000005
【図４】
2019003790.tif 000006
【図５】
2019003790.tif 000007
【図６】
2019003790.tif 000008